(57)【要約】【課題】客先において、セキュリティ強化のため、データの書き込みを禁止することが可能な記憶装置を提供することを目的とする。【解決手段】お客様宅や顧客会社などでの通常使用に書き込みを禁止する禁止モードにあるＵＳＢメモリ装置であって、外部からの電波に変調された信号を受信部２５で受信し、受信中の信号のパターンが予め登録されている固有パターンか否かをＣＰＵ２４が判定し、ＣＰＵ２４は、受信中の信号のパターンが固有パターンではない場合に書き込み禁止モードとなるように制御し、受信中の信号のパターンが固有パターンである場合に書き込み許可モードとなるように制御する。【選択図】図１
2012212244.tif 000002
【特許請求の範囲】
【請求項１】
通常使用に書き込みを禁止する禁止モードにある記憶装置であって、
外部からの信号を受信する受信手段と、
受信中の信号のパターンが予め登録されている固有パターンか否かを判定する判定手段と、
受信中の信号のパターンが前記固有パターンではない場合に書き込み禁止モードとなるように制御し、受信中の信号のパターンが前記固有パターンである場合に書き込み許可モードとなるように制御する制御手段と、を備えることを特徴とする記憶装置。
【請求項２】
前記禁止モードと前記許可モードとで異なる表示色を発光する報知手段をさらに備え、
前記制御手段は、前記禁止モードと前記許可モードとで異なる表示色を用いて前記報知手段に報知するように制御することを特徴とする請求項１記載の記憶装置。
【請求項３】
前記受信手段は、電波または光を受信して電気信号の受信パターンに変換することを特徴とする請求項１記載の記憶装置。
【発明の詳細な説明】
【技術分野】
【０００１】
本発明は、お客様宅や顧客会社などでの通常使用に書き込みを禁止することが可能な記憶装置に関する。
【背景技術】
【０００２】
従来、パーソナルコンピュータ（以下、ＰＣという）の出張修理における修理作業においては、ＰＣの状態を診断するのに使用する診断プログラムやテストモジュールを例えばＵＳＢメモリに記憶させて持参している。ＵＳＢメモリは、取り扱いが手軽であり、ＵＳＢインタフェースも汎用化され普及していることから、ほとんどのＰＣにおいてデータ転送が可能である。
【０００３】
ところが、近年、顧客である企業等ではセキュリティ管理が厳しく、個人情報等のデータ漏洩が懸念される傾向にある。顧客は、出張修理時のＵＳＢメモリの使用を拒否することがある。また、顧客によってはＵＳＢメモリの持ち込みすらできない場合がある。（入り口でチェックされ、修理対象となるＰＣがある場所までＵＳＢメモリを持ち込めない場合もある）
この回避策として、診断プログラムやテストモジュールをＣＤ−Ｒ媒体に焼いた後にファイナライズ処理して持参しなければならず、作業者の手間がかかるといった問題があった。（ＣＤ−Ｒであれば、書き込みができないことが周知されているため、許可されることが多い）
【０００４】
しかし、コンパクトサイズのＰＣにおいては、このＣＤ−Ｒ媒体を読み取るデバイス（ODD）さえも実装していないことがあるため、データ読み込みのための外付けODD機器本体も持参しなければならないため、さらに負担となっている。
また、ＣＤ−Ｒ媒体は原則として繰り返し書き込みをすることができない。例えば、ある顧客向けにモジュール等をＣＤ−Ｒ媒体に書き込んだ場合、そのＣＤ−Ｒ媒体を再利用できず、廃棄するしかないといった問題もあった。
【０００５】
特許文献１には、ＵＳＢメモリをセキュリティ対策の認証キーとして使用することについて開示されている。
【０００６】
特許文献２には、撮影装置に装着され撮影により取得された画像データを記憶するためのメモリカードと、撮影禁止エリアの入口及び出口に配置され、書き込み制御信号を送信するゲートとから構成される書き込み制御システムにおいて、メモリカードが、製品出荷時は画像データを書き込み可能な書き込み許可モードにセットされるとともに、ゲートを通過して書き込み制御信号を受信する毎に、書き込み許可モードと、画像データを書き込み不可能な書き込み禁止モードとの間で切り替えられることにより、撮影禁止エリアでは撮影を行うことができず、撮影禁止エリアを退場することで撮影できる技術が開示されている。
【０００７】
特許文献３には、パスワードや指紋認証技術を用いてアクセスロックを行い接続するＰＣと通信して書き込みを制限することが開示されている。
【先行技術文献】
【特許文献】
【０００８】
【特許文献１】特開２００６−３１８４３５号公報
【特許文献２】特開２００８−４１０４６号公報
【特許文献３】特開２０１０−０９２３０１号公報
【発明の概要】
【発明が解決しようとする課題】
【０００９】
このように、ＰＣの出張修理において、セキュリティ強化のため、客先に持ち込める機器やデバイスが制限されてしまい、修理作業に支障をきたしたり、余計な手間がかかってしまうといった問題があった。特に、データ記憶デバイスについては、容易にデータ漏洩の道具になり得るため、制限が厳しくなっている。
そこで、客先において、セキュリティ強化のため、データの書き込みを禁止することが可能な記憶装置の提供が切望されている。
本発明は、客先において、セキュリティ強化のため、データの書き込みを禁止することが可能な記憶装置を提供することを目的とする。
【課題を解決するための手段】
【００１０】
上記課題を解決するたに、請求項１記載の発明は、通常使用に書き込みを禁止する禁止モードにある記憶装置であって、外部からの信号を受信する受信手段と、受信中の信号のパターンが予め登録されている固有パターンか否かを判定する判定手段と、受信中の信号のパターンが前記固有パターンではない場合に書き込み禁止モードとなるように制御し、受信中の信号のパターンが前記固有パターンである場合に書き込み許可モードとなるように制御する制御手段と、を備えることを特徴とする記憶装置である。
【発明の効果】
【００１１】
本発明によれば、客先において、セキュリティ強化のため、データの書き込みを禁止することができる。
【図面の簡単な説明】
【００１２】
【図１】本発明の第１実施形態に係る記憶装置が適用可能なＵＳＢメモリ１と、ＵＳＢメモリ１を接続可能なコンピュータ装置２の構成について説明するためのブロック図である。
【図２】本発明の第１実施形態に係る記憶装置が使用される修理工場内の環境状態について説明するための図である。
【図３】図２に示す送信機４０の構成について説明するためのブロック図である。
【図４】図３に示す送信機４０から送信されている規則性がある０１パターンの構成について説明するための図である。
【図５】本発明の第１実施形態に係る記憶装置が使用されるお客様宅内の環境状態について説明するための図である。
【図６】本発明の第１実施形態に係る記憶装置が適用可能なＵＳＢメモリ１の動作について説明するためのフローチャートである。
【図７】本発明の第２実施形態に係る記憶装置が使用される修理工場内の環境状態について説明するための図である。
【図８】図７に示す発光制御部４２の構成について説明するためのブロック図である。
【発明を実施するための形態】
【００１３】
図面を参照して、本発明の実施形態について説明する。
本発明の実施形態では、通常の環境下で使用する場合には書き込み禁止モードとなる一方、特定環境下でのみ書き込み許可モードとなるように記憶装置を制御することを特徴としており、記憶装置の一例として、ＵＳＢメモリ１に適用した例について説明する。
【００１４】
＜第１実施形態＞
まず、図１に示すコンピュータ装置２とＵＳＢメモリ１のブロック図、図２に示す修理工場内での状態を示す説明図、図３に示す送信機４０のブロック図、図４に示す信号パターン、図５に示すお客様宅での状態を示す説明図を参照して、本発明の第１実施形態におけるハードウエア構成について説明する。
図１は、コンピュータ装置２と、ＵＳＢメモリ１の内部構成例を示す図である。
コンピュータ装置２は、大容量のデータを記憶可能な記憶部５と、キーボードやマウス等によるユーザの操作入力を受け付ける操作部６と、画像や文字を表示する表示部７を備える。また、コンピュータ装置２は、各部を制御するＣＰＵ(Central Processing Unit)８を備える。また、ＵＳＢメモリ１との間で通信するデータのインタフェースとなるＵＳＢインタフェース９と、ＵＳＢメモリ１側に設けられたコネクタ１１に形状が合致するコネクタ１０を備える。
【００１５】
記憶部５は、例えばウィンドウズ（登録商標）ＯＳやアプリケーションソフトウエアのプログラムを記憶する。ＣＰＵ８は、記憶部５から読み出したＯＳやアプリケーションソフトウエアのプログラムを作動して、接続されたＵＳＢメモリ１から診断プログラムやテストモジュールを読み出す。
【００１６】
ＵＳＢメモリ１は、コネクタ１１、内部の機能ブロックを配置する本体基板１３を備える。また、データを記憶するフラッシュメモリ１４を備える。
本体基板１３には、所定の周波数を発振する水晶発振子２０と、水晶発振子２０から供給されたクロックに基づいて各部の動作に必要なクロックを作り出すＰＬＬ(Phase Lock Loop)２１を備える。また、本体基板１３は、フラッシュメモリ１４に対してデータの書き込みと読み出しのインタフェースとなるフラッシュメモリインタフェース(Interface)２２を備える。また、本体基板１３は、コネクタ１１に対して、コンピュータ装置２との間で送受信するデータのインタフェースとなるＵＳＢインタフェース２３と、各部を制御するＣＰＵ２４を備える。
【００１７】
また、本体基板１３は、プログラム用記憶部２７を備える。プログラム用記憶部２７には、プログラムが記憶されたＲＯＭ（Read Only Memory）と、ワーキング領域に用いられるＲＡＭ（Random Access Memory）が含まれる。各部は、バス２８に接続されており、バス２８を介してデータが伝送される。
【００１８】
ＵＳＢメモリ１は、外部からの信号を受信する受信部２５を備え、受信部２５が受信する信号のパターンが特定のパターンか否かをＣＰＵ２４が判定することにより、コンピュータ装置２からＵＳＢメモリ１の読み出し又は書き込みを制御できる機能を有する。
【００１９】
ＣＰＵ２４は、プログラム用記憶部２７に記憶されているプログラムを読み出して実行し、ＵＳＢメモリ１の全体の動作を制御する。例えば、ＣＰＵ２４は、コンピュータ装置２による、フラッシュメモリ１４に対するアクセスを制御する。
そして、ＣＰＵ２４は、受信部２５が受信する信号のパターンが特定のパターンか否かを判定し、受信部２５が受信する信号のパターンが予めプログラム用記憶部２７に登録されている特定の固有パターンと一致する場合にのみ書き込み許可モードとなり、フラッシュメモリ１４に対するデータの書き込みを許可する。
また、本体基板１３には、ユーザにＵＳＢメモリ１の状態を報知するためのＬＥＤ２６を有し、ＣＰＵ２４は書き込み許可状態にある場合には緑色に発光するように制御し、書き込み禁止状態にある場合には赤色に発光するように制御する。
【００２０】
図２は修理工場内での状態を示す説明図、図３は送信機４０のブロック図である。
図２に示すように、ＰＣの修理工場内の特定の場所には微弱電波を送信するための送信機４０が設置されている。
図３において、送信機４０に設けられたパターン発生器４０ａは、規則性のある固有の０１パターンを連続的または間歇的に発生させる。発振回路４０ｂは、所定の周波数ｆ１の電波を発振する。変調回路４０ｃは、発振回路４０ｂにより発振された電波を搬送波にして規則性のある「１１０１１１１０１」（図４）のような０１パターンで例えばＡＳＫ（Amplitude shift keying）変調、ＦＳＫ(Frequency shift keying)変調、ＰＳＫ(Phase
shift keying)変調などのいずれかを施して電波を発生する。電力増幅回路４０ｄは、変調回路４０ｃから入力される変調後の電波を例えば１５ｍＷ以下の無免許でも使用可能な微弱電波になるまで電力増幅し、アンテナ４０ｅから出力する。
【００２１】
ここで、コンピュータ装置２の代表的な２つの設置環境について説明する。
第１の場所は、ＰＣの修理工場内の特定の場所にコンピュータ装置２が設置され、その環境において、図２に示す送信機４０が設けられている場合である。送信機４０は、図４に示すように、規則性のある固有の０１パターンを連続的または間歇的に発生させており、所定の周波数ｆ１の微弱電波を修理工場内の限られた狭いエリア内に送信する。パターン発生器４０ａにより発生する規則性のある０１パターンは、ユニーク性を付与するために例えば、図４に示すような９桁のパターンでも良く、桁数がより多い方が固有性が増すためより好ましい。
【００２２】
他方、第２の場所は、コンピュータ装置２がお客様宅や顧客会社の社屋に設置されている場合である。図５に示すように、第２の場所は、第１の場所と異なり、規則性のある０１パターンを送信するような送信機が存在しない点である。なお、第２の場所においても電波は飛来しているものの、上記送信機４０から送信される固有の０１パターンと同一パターンは存在しないこととする。
【００２３】
次に、図６に示すフローチャートを参照して、本発明の第１実施形態における動作について説明する。
今、ＵＳＢメモリ１に設けられたコネクタ１１が、ユーザによってコンピュータ装置２に設けられたコネクタ１０に差し込まれたこととする。コンピュータ装置２からコネクタ１０、１１を介して電源がＵＳＢメモリ１に印加されると、ＵＳＢメモリ１に設けられたＣＰＵ２４が起動し、プログラム用記憶部２７から制御プログラムを読み出し、ＣＰＵ２４が制御プログラムの実行を開始する。
【００２４】
図６に示すステップＳ１０では、ＣＰＵ２４は、データパターン認識処理を開始する。ここで、データパターン認識処理について説明する。
本体基板１３に設けられた受信部２５は、常時、外部から飛来する所定の周波数ｆ１の電波を受信しており、受信した電波を復調して受信信号を生成し、受信パターンを出力する。受信部２５での復調処理では、送信側での変調処理に対応するＡＳＫ復調、ＦＳＫ復調、ＰＳＫ復変調などのいずれかを施せばよい。
【００２５】
次いで、ステップＳ１５では、ＣＰＵ２４は、受信パターンが予め登録されている固有の許可パターン「１１０１１１１０１」と一致するか否かを判定する。両者が一致する場合には、ステップＳ２０に進み、現在の使用環境がＰＣの修理工場内の特定の場所であるとみなし、ライト許可、すなわち、コンピュータ装置２からＵＳＢメモリ２にデータの書き込み許可モードに移行し、ＬＥＤ２６に設けられた緑色ＬＥＤを発光させる。
【００２６】
次いで、ステップＳ３０では、ＣＰＵ２４は、書き込み許可モードに移行したので、コンピュータ装置２からＵＳＢメモリ２にデータの書き込み処理が可能となる。
一方、ステップＳ１５において両者が一致しない場合には、ステップＳ２５に進み、現在の使用環境がお客様宅または顧客会社の社屋内の場所であるとみなし、ライトマスク、すなわち、コンピュータ装置２からＵＳＢメモリ２にデータの書き込みを禁止する禁止モ
ードに移行し、ＬＥＤ２６に設けられた赤色ＬＥＤを発光させる。
【００２７】
また、本実施形態では、ＬＥＤ２６に発光させる色を赤や緑にして説明したが、本発明は、ＬＥＤ２６に発光させる色を赤や緑に限定されるものではなく、利用者が「禁止モード」と「許可モード」を視認できれば他の色を用いて良い。
また、本実施形態では、ＬＥＤを用いて報知するように説明したが、本発明は、ＬＥＤ２６に限定されるものではなく、利用者が「禁止モード」と「許可モード」を視認できれば他の報知手段を用いて良い。
【００２８】
このように、お客様宅や顧客会社などでの通常使用に書き込みを禁止する禁止モードにあるＵＳＢメモリ装置であって、外部からの電波に変調された信号を受信部２５で受信し、受信中の信号のパターンが予め登録されている固有パターンか否かをＣＰＵ２４が判定し、ＣＰＵ２４は、受信中の信号のパターンが固有パターンではない場合に書き込み禁止モードとなるように制御し、受信中の信号のパターンが固有パターンである場合に書き込み許可モードとなるように制御することで、客先において、セキュリティ強化のため、データの書き込みを禁止することができる。
【００２９】
＜第２実施形態＞
本発明の第２実施形態は、図１に示すＵＳＢメモリ１のブロック図において、受信部２５を受光部４４（図７）に置換したことを特徴とする。
本体基板１３に設けられた受光部４４は、常時、外部から入射する光を受光しており、受光した光をフォトダイオードやフォトランジスタを用いて電気信号に変換し、この電気信号による受信パターンを出力する。
【００３０】
また本発明の第２実施形態は、図２に示す送信機４０を図７に示すように、発光制御部４２とＬＥＤ電球４３に置換したことを特徴とする。図８は発光制御部４２のハードウエア構成について示すブロック図である。
図８において、発光制御部４２に設けられたパターン発生器４２ａは、規則性のある０１パターンをからなる固有のパターン信号を連続的に発生させる。駆動回路４２ｂは、直流電源（図示しない）を電界効果トランジスタＦＥＴのドレイン端子に入力しており、パターン発生器４２ａから入力される固有のパターン信号に応じて当該ＦＥＴのゲート端子をＯＮ／ＯＦＦ制御し、当該ＦＥＴのソース端子をＬＥＤ電球４３に接続することで、ＬＥＤ電球４３の発光がＯＮ／ＯＦＦ制御され、固有の０１パターンを有する光を発光することができる。
【００３１】
第２実施形態においても、図６に示すステップＳ１０において、ＣＰＵ２４は、データパターン認識処理を開始する。ここで、データパターン認識処理について説明する。
本体基板１３に設けられた受光部４４は、常時、外部から入射される光を受光しており、受光した光をフォトダイオードやフォトランジスタを用いて電気信号に光電変換し、光電変換後の電気信号を増幅し、この電気信号と所定の閾値電圧とをコンパレータにより比較して受信パターンを抽出する。
ステップＳ１５〜Ｓ３０における各処理は、第１実施形態における処理と同様であるので、その説明を省略する。
【００３２】
このように、お客様宅や顧客会社などでの通常使用に書き込みを禁止する禁止モードにあるＵＳＢメモリ装置であって、外部からの光に変調された信号を受信部２５で受信し、受信中の信号のパターンが予め登録されている固有パターンか否かをＣＰＵ２４が判定し、ＣＰＵ２４は、受信中の信号のパターンが固有パターンではない場合に書き込み禁止モードとなるように制御し、受信中の信号のパターンが固有パターンである場合に書き込み許可モードとなるように制御することで、客先において、セキュリティ強化のため、デー
タの書き込みを禁止することができる。
【００３３】
このように、ＵＳＢメモリの標準機能である「書き込み処理」に対して、制限を加えたＵＳＢメモリを提供することで、書き込みが特別な環境下でしか実施できない構造とすることができる。
この環境を、例えばＰＣの修理工場でのみしか構築できないものにすれば、客先ではこの条件を満たさないことになるため、書き込み処理が制限され、客先のＰＣからＵＳＢメモリを使用してのデータ持ち出しが排除されることになる。これにより、個人情報等のデータ漏洩を回避することができる。
【００３４】
また、制限されるのは書き込み処理だけであり、読み出し処理には影響を受けないため、使用面においてもＵＳＢメモリが本来持つ手軽さや汎用インタフェースも維持できるので、利便性を確保することができる。
さらに、ＵＳＢメモリの収容ケースの外面に「ライトマスク  ＬＥＤ  赤」や「書き込み禁止モード時  ＬＥＤ  赤」といった提示を行えば、顧客にデータ漏洩のリスクが無いことを示すことができるため、修理作業でのツールとしてＵＳＢメモリを利用することが可能となる。
【００３５】
また、ＵＳＢメモリの収容ケースの外面に、書き込みが制限できる機能を持つことを提示するロゴやマークを取り付け、このような機能が周知されて標準的な機能になれば、ＰＣの修理作業者は特に意識することなく、ＵＳＢメモリをＰＣの修理において活用することが可能になる。
顧客にデータ漏洩のリスクが無いことを提示することができるため、修理作業でのツールとしてＵＳＢメモリを利用することが可能になる。
【産業上の利用可能性】
【００３６】
本発明は、ＵＳＢポートを有するパーソナルコンピュータ、ＰＤＡに利用できる。
【符号の説明】
【００３７】
１    ＵＳＢメモリ
２    コンピュータ装置
５    記憶部
６    操作部
７    表示部
８    ＣＰＵ
９    ＵＳＢインタフェース
１０，１１    コネクタ
１３    本体基板
１４    フラッシュメモリ
２０    水晶発振子
２１    ＰＬＬ
２２    フラッシュメモリインタフェース
２３    ＵＳＢインタフェース
２４    ＣＰＵ
２５    受信部
２６    ＬＥＤ
２７    プログラム用記憶部
２８    バス
４０    送信機
４２    発光制御部
４４    受光部
【図１】
2012212244.tif 000003
【図２】
2012212244.tif 000004
【図３】
2012212244.tif 000005
【図４】
2012212244.tif 000006
【図５】
2012212244.tif 000007
【図６】
2012212244.tif 000008
【図７】
2012212244.tif 000009
【図８】
2012212244.tif 000010